(57)【要約】【課題】小規模の小売店にとって、費用がかからず、置く場所をとらず、出張販売、訪問販売先等に対してポイントサービスを可能とする。【解決手段】小売店側から顧客側に発行されるポイントカード情報を処理するポイントカードシステムに、顧客側の携帯電話機101と、小売店側の携帯電話機102,103と、短距離通信で顧客側と小売店側の携帯電話機間で送受信を行う外部通信部213,218と、顧客側の携帯電話機に保存されているポイントカード情報を小売店側の携帯電話機に外部通信部を介して送信し、小売店側の携帯電話機で変更されたポイントカード情報を顧客側の携帯電話機で外部通信部を介して受信し、保存する処理を行うアプリケーション210Aと、アプリケーションにより小売店側の携帯電話機で変更されたポイントカード情報を、無線基地局を介して送信され、小売店毎に取り出し可能に保存する共用サーバー105とを備える。【選択図】図２
2007140802.tif 000002
【特許請求の範囲】
【請求項１】
小売店側から顧客側に発行されるポイントカード情報を処理するポイントカードシステムにおいて、
顧客側の携帯電話機と、
小売店側の携帯電話機と、
顧客側の携帯電話機及び小売店側の携帯電話機の双方に搭載され、短距離通信で顧客側と小売店側の間でポイントカード情報の送受信を行う外部通信部と、
顧客側の携帯電話機及び小売店側の携帯電話機の双方に取り込まれ、顧客側の携帯電話機に保存されているポイントカード情報を小売店側の携帯電話機に前記外部通信部を介して送信し、小売店側の携帯電話機で変更されたポイントカード情報を顧客側の携帯電話機で前記外部通信部を介して受信し、保存する処理を行うポイントカード用アプリケーションと、
無線基地局に接続され、前記ポイントカード用アプリケーションにより小売店側の携帯電話機で変更されたポイントカード情報を、無線基地局を介して送信され、小売店毎に取り出し可能に保存する共用サーバーとを備えることを特徴とするポイントカードシステム。
【請求項２】
前記ポイントカード情報は管理情報番号、顧客情報、小売店情報を含み、顧客情報は、少なくもと、会員番号、名前、電話番号、メールアドレス、生年月日、有効期限通知機能ＯＮ／ＯＦＦを含み、小売店情報は、少なくとも、小売店名、小売店番号、現状のポイント、最新のポイント変更履歴、有効期限、認証パスワード、電話番号、住所、メールアドレス、ホームページアドレス、広告情報を含み、前記ポイントカード情報のデータフォーマットが統一されていることを特徴とする、請求項１に記載のポイントカードシステム。
【請求項３】
前記ポイントカード情報の小売店情報のうち、少なくとも、現状のポイント、最新のポイント変更履歴、広告情報が変更可能であることを特徴とする、請求項２に記載のポイントカードシステム。
【請求項４】
前記顧客側の携帯電話機には、複数の小売店側の携帯電話機で変更されたポイントカード情報を保存することを特徴とする、請求項１に記載のポイントカードシステム。
【請求項５】
前記外部通信部は、少なくとも、短距離通信を行う赤外線通信部、Ｂｌｕｅｔｏｏｔｈ通信部を含み、小売店側の携帯電話機は顧客側の携帯電話機に合わせて外部通信部を選択することを特徴とする、請求項１に記載のポイントカードシステム。
【請求項６】
前記顧客側の携帯電話機は、ポイントカード情報の小売店情報に含まれる最新のポイント変更履歴、有効期限、有効期限通知機能ＯＮ／ＯＦＦに対して、有効期限通知機能がＯＮに選択されている場合、最新のポイント変更時を起点として、有効期限の所定の日数前で期限切れの通知を行うことを特徴とする、請求項１に記載のポイントカードシステム。
【請求項７】
有効期限の所定の日数前で期限切れの通知を行う際に、ＲＴＣの手段を用いて期限切れの判定を行うことを特徴とする、請求項６に記載のポイントカードシステム。
【請求項８】
前記小売店側の携帯電話機では、ポイントカード情報の小売店情報に含まれる認証パスワードを入力する際にエコーバック時に「＊＊＊＊」のように認証パスワードを隠して表示し、前記顧客側の携帯電話機から送信されるポイントカード情報が該当小売店のポイントカード情報であるかの判定を行うことを特徴とする、請求項１に記載のポイントカードシステム。
【請求項９】
前記顧客側の携帯電話機では新規登録時にはポイントカード情報に顧客情報を入力し前記小売店側の携帯電話機に外部通信部を介して送信し、前記小売店側の携帯電話機では、前記顧客側の携帯電話機から外部通信部を介して受信したポイントカード情報に小売店情報が含まれていない場合には新規登録と判断し、受信したポイントカード情報に現状のポイント、最新のポイント変更履歴を含む小売店情報を入力してポイントカード情報を作成し、前記顧客側の携帯電話機に外部通信を介して送信し新規に保存させ、さらに、前記共用サーバーに無線基地局を介して送信し新規に保存させることを特徴とする、請求項１に記載のポイントカードシステム。
【請求項１０】
前記顧客側の携帯電話機では保存したポイントカード情報を参照し、変更を要求すると、前記外部通信部を介して、参照されたポイントカード情報が小売店の携帯電話機に送信されることを特徴とする、請求項１に記載のポイントカードシステム。
【請求項１１】
前記顧客側の携帯電話機では保存したポイントカード情報を参照し、削除を要求すると、参照されたポイントカード情報が削除されることを特徴とする、請求項１に記載のポイントカードシステム。
【請求項１２】
前記共用サーバーには小売店識別部が設けられ、前記小売店識別部は、前記小売店側の携帯電話機から変更されたポイントカード情報の保存、取り出しを求められた場合、ポイントカード情報の小売店情報に含まれる電話番号、認証パスワードにより前記小売店側の携帯電話機を識別して保存、取り出しを行わせることを特徴とする、請求項１に記載のポイントカードシステム。
【請求項１３】
１つの小売店に対して複数の前記小売店側の携帯電話機が設けられることを特徴とする、請求項１に記載のポイントカードシステム。
【請求項１４】
前記携帯電話機にＵＩＭカードの使用が可能である場合、小売店側の携帯電話機では、ＵＩＭカードで顧客の携帯電話機であるかの判定を行うことを特徴とする、請求項１に記載のポイントカードシステム。
【請求項１５】
前記携帯電話機が非接触ＩＣカード搭載型携帯電話機であり、リーダーライターが搭載されている場合には、短距離通信の非接触ＩＣカードを前記外部通信部として用いることを特徴とする、請求項１に記載のポイントカードシステム。
【請求項１６】
小売店側から顧客側に発行されるポイントカード情報を処理するポイントカード情報処理方法において、
顧客側の携帯電話機から小売店側の携帯電話機に対してポイントカード情報を短距離通信で送信を行う工程と、
小売店側の携帯電話機でポイントカード情報を受信した場合、受信したポイントカード情報を変更する工程と、
小売店側の携帯電話機から顧客側の携帯電話機に対して変更したポイントカード情報を短距離通信で送信する工程と、
顧客側の携帯電話機で変更されたポイントカード受信した場合、変更されたポイントカード情報を保存する工程と、
小売店側の携帯電話機から無線基地局を介して共用サーバーに変更したポイントカード情報を送信する工程と、
共用サーバーで受信したポイントカードを小売店毎に取り出し可能に保存する工程とを備えることを特徴とするポイントカード情報処理方法。
【請求項１７】
小売店側から顧客側に発行されるポイントカード情報を処理するポイントカード情報処理をコンピュータで実行するプログラムにおいて、
顧客側の携帯電話機から小売店側の携帯電話機に対してポイントカード情報を短距離通信で送信を行う手順と、
小売店側の携帯電話機でポイントカード情報を受信した場合、受信したポイントカード情報を変更する手順と、
小売店側の携帯電話機から顧客側の携帯電話機に対して変更したポイントカード情報を短距離通信で送信する手順と、
顧客側の携帯電話機で変更されたポイントカード受信した場合、変更されたポイントカード情報を保存する手順と、
小売店側の携帯電話機から無線基地局を介して共用サーバーに変更したポイントカード情報を送信する手順と、
共用サーバーで受信したポイントカードを小売店毎に取り出し可能に保存する手順とを備えることを特徴とする、ポイントカード情報処理をコンピュータで実行するプログラム。
【請求項１８】
無線基地局を介して相互に接続される携帯電話機において、
顧客側の携帯電話機及び小売店側の携帯電話機の双方に搭載され、短距離通信で顧客側と小売店側の間でポイントカード情報の送受信を行う外部通信部と、
顧客側の携帯電話機及び小売店側の携帯電話機の双方に取り込まれ、顧客側の携帯電話機に保存されているポイントカード情報を小売店側の携帯電話機に前記外部通信部を介して送信し、小売店側の携帯電話機で変更されたポイントカード情報を顧客側の携帯電話機で前記外部通信部を介して受信し、保存し、小売店側の携帯電話機で変更されたポイントカード情報を、無線基地局を介して、共用サーバーに送信し、小売店毎に取り出し可能に保存させるポイントカード用アプリケーションとを備えることを特徴とする携帯電話機。
【請求項１９】
無線基地局を介して携帯電話機に接続される共用サーバーにおいて、
顧客側の携帯電話機からのポイントカード情報を小売店側の携帯電話機で変更し、無線基地局を介して変更したポイントカード情報を受信し小売店毎に取り出し可能に保存するポイントカード情報格納部と、
小売店側の携帯電話機から前記ポイントカード情報格納部への保存、取り出しに対して、ポイントカード情報の小売店情報に含まれる電話番号、認証パスワードにより小売店の識別を行う小売店識別部とを備えることを特徴とする共用サーバー。
【発明の詳細な説明】
【技術分野】
【０００１】
本発明はポイントカードシステムに関する。特に、本発明は、小規模な小売店でポイントカード機能を十分に実現するポイントカードシステム、ポイントカード情報処理方法、プログラム、携帯電話機及び共用サーバーに関する。
【背景技術】
【０００２】
昔から小規模の小売店、飲食店ではポイントカードを発行し，顧客のリピート率の向上を図っている。しかしながら、小売店側で顧客データ管理を十分にできていないこと、顧客側ではポイントカードの枚数増加による不携帯、紛失により、ポイントカードシステムの機能を十分に発揮していないのが現状である。
商店街における小規模の小売店の多くでポイントカードシステムの機能が十分に発揮すれば、商店街全体の活性化に寄与できるという課題がある。
【０００３】
最近では非接触ＩＣ（半導体集積回路）カード搭載型携帯電話機などによるポイントカード機能を実現するものがあり、非接触ＩＣカードへのデータ書き込み、削除を行うのに必要なリーダーライター・制御ＰＣ（パーソナルコンピュータ）の機器とＰＯＳ（販売時点情報管理）システムとの連携が行われている。
特に、大手小売店などではＰＯＳシステムを導入しているが、小規模の小売店ではＰＯＳシステムを導入しているものは少ない。
【０００４】
しかしながら、小規模の小売店で、ポイントカードシステムの機能を実現するためだけに、ＰＯＳシステムを導入するには多額の費用がかかり過ぎ、さらに、小規模の小売店にリーダーライター・制御ＰＣの機器を置くと場所を取り、さらに、配線などのために店内が煩雑になり、ＰＯＳシステムを手軽に使用することが困難であるという問題がある。
さらに、店舗位置にとらわれずに出張販売、訪問販売先でのポイントカードシステムのサービス提供を可能にしたいという課題がある。
【０００５】
従来、利用者がポイントカードを携帯することなくポイントサービスを受けることができ、また利用者が通信費をかけることなくポイント情報を閲覧することができるポイントサービスシステムを提供するため、携帯電話が個人識別情報と店舗署名とポイント情報とが構造型文書形式により記載された第１のポイントデータを蓄積し、店舗端末が前記携帯電話と有線または無線で接続され、前記携帯電話に蓄積された前記第１のポイントデータを取り出し、前記第１のポイントデータに前記店舗署名が記載されている時には、前記ポイント情報に基づいてポイントサービスを行っているものがある（例えば、特許文献１参照）。
【０００６】
しかしながら、上記特許文献１では、携帯電話と接続される店舗端末が必要となり、小規模の小売店にとって、費用がかかり、置く場所をとり、出張販売、訪問販売先等に対してポイントサービスができないという問題がある。
また、従来、お客様カードの記入や店舗紹介情報の入力、或いは顧客名簿の追加など客側及び店側の双方における煩わしい作業を簡素化することができる携帯通信端末装置及びその端末装置を活用した顧客管理システムを提供するため、店舗紹介用の名刺情報等を無線タグ情報化し、お店などの連絡先情報を含む無線タグ情報を載せた無線タグを付したカード（名刺、レシート、ポイントカードなど）を準備し、携帯電話機には内蔵の無線タグ送受信機が搭載されており、無線タグから情報を取得する。取得されたデータは携帯電話機内のメモリに保存され、情報は必要に応じてユーザが編集することができ、保存期間の設定が可能であり、また、無線タグ送受信機を備えたレジ端末装置を設置し、顧客が所有する携帯電話機の無線タグ送受信機から氏名・住所等の情報を読み取り、顧客情報を自動的に追加していくものもある（例えば、特許文献２参照）。
【０００７】
しかしながら、上記特許文献２では、無線タグを付したカード、無線タグ送受信機を備えたレジ端末装置が必要となり、小規模の小売店にとって、費用がかかり、置く場所をとり、出張販売、訪問販売先等に対してポイントサービスができないという問題がある。
また、従来、顧客が通常保持している携帯端末を用いて、サービスを行うシステムを提供するため、小売店システムにおける、顧客と関連づけられたサーバ上のデータを用いて、ＢｌｕｅｔｏｏｔｈやＩＲＤＡなどの短距離無線デバイス付きの携帯電話を利用した顧客サービスシステムであって、サーバは、顧客と顧客が持つ携帯電話との関係を保持し、制御ＰＣは、顧客が来店したときに、来店を検知する手段と、顧客を特定する手段と、顧客の特性に応じた情報を生成し、生成した情報を配信する手段とを保持し、レジスタＰＣは、顧客の特性を取得する手段と、顧客の情報へのアクセスの履歴を保持する手段とを備えるものもある（例えば、特許文献３参照）。
【０００８】
しかしながら、上記特許文献３では、制御ＰＣ、レジスタＰＣが必要となり、小規模の小売店にとって、費用がかかり、置く場所をとり、出張販売、訪問販売先等に対してポイントサービスができないという問題がある。
また、従来、クーポン券、スタンプ類、カード類を顧客に手渡すことなく、購入ポイント制度を実施して、商品またはサービスの販売促進を図ることができる携帯端末を用いた購入ポイント管理システムを提供するため、この購入ポイント管理システムは、顧客が商品またはサービスを購入した際に得た購入ポイントを、顧客の携帯端末、販売業者の端末、及びインターネットに接続されたサーバを用いて管理するシステムであり、商品またはサービスの購入の際に顧客に与えられる購入ポイントのポイント数を顧客及び販売業者の情報と共にデータベース化して管理するサーバと、顧客が商品またはサービスの購入の際に携帯する携帯端末と、販売業者の店舗等に設置された店舗端末と、を備え、インターネットを介してサーバと携帯端末間、及びサーバと店舗端末間で情報の伝達を行なうものもある（例えば、特許文献４参照）。
【０００９】
しかしながら、上記特許文献４では、販売業者の店舗等に設置された店舗端末が必要となり、小規模の小売店にとって、費用がかかり、置く場所をとり、出張販売、訪問販売先等に対してポイントサービスができないという問題がある。
【００１０】
【特許文献１】特開２００４−１２７０８９号公報
【特許文献２】特開２００４−２０８０９７号公報
【特許文献３】特開２００３−１９６５５２号公報
【特許文献４】特開２００１−２７３５６３号公報
【発明の開示】
【発明が解決しようとする課題】
【００１１】
したがって、本発明は上記問題点に鑑みて、小規模の小売店にとって、費用がかからず、置く場所をとらず、出張販売、訪問販売先等に対してポイントサービスを可能とするポイントカードシステム、ポイントカード情報処理方法、プログラム、携帯電話機及び共用サーバーを提供することを目的とする。
【課題を解決するための手段】
【００１２】
本発明は前記問題点を解決するために、小売店側から顧客側に発行されるポイントカード情報を処理するポイントカードシステムにおいて、顧客側の携帯電話機と、小売店側の携帯電話機と、顧客側の携帯電話機及び小売店側の携帯電話機の双方に搭載され、短距離通信で顧客側と小売店側の間でポイントカード情報の送受信を行う外部通信部と、顧客側の携帯電話機及び小売店側の携帯電話機の双方に取り込まれ、顧客側の携帯電話機に保存されているポイントカード情報を小売店側の携帯電話機に前記外部通信部を介して送信し、小売店側の携帯電話機で変更されたポイントカード情報を顧客側の携帯電話機で前記外部通信部を介して受信し、保存する処理を行うポイントカード用アプリケーションと、無線基地局に接続され、前記ポイントカード用アプリケーションにより小売店側の携帯電話機で変更されたポイントカード情報を、無線基地局を介して送信され、小売店毎に取り出し可能に保存する共用サーバーとを備えることを特徴とするポイントカードシステムを提供する。
【００１３】
さらに、前記ポイントカード情報は管理情報番号、顧客情報、小売店情報を含み、顧客情報は、少なくもと、会員番号、名前、電話番号、メールアドレス、生年月日、有効期限通知機能ＯＮ／ＯＦＦを含み、小売店情報は、少なくとも、小売店名、小売店番号、現状のポイント、最新のポイント変更履歴、有効期限、認証パスワード、電話番号、住所、メールアドレス、ホームページアドレス、広告情報を含み、前記ポイントカード情報のデータフォーマットが統一されている。
【００１４】
さらに、前記ポイントカード情報の小売店情報のうち、少なくとも、現状のポイント、最新のポイント変更履歴、広告情報が変更可能である。
さらに、前記顧客側の携帯電話機には、複数の小売店側の携帯電話機で変更されたポイントカード情報を保存する。
さらに、前記外部通信部は、少なくとも、短距離通信を行う赤外線通信部、Ｂｌｕｅｔｏｏｔｈ通信部を含み、小売店側の携帯電話機は顧客側の携帯電話機に合わせて外部通信部を選択する。
【００１５】
さらに、前記顧客側の携帯電話機は、ポイントカード情報の小売店情報に含まれる最新のポイント変更履歴、有効期限、有効期限通知機能ＯＮ／ＯＦＦに対して、有効期限通知機能がＯＮに選択されている場合、最新のポイント変更時を起点として、有効期限の所定の日数前で期限切れの通知を行う。
さらに、有効期限の所定の日数前で期限切れの通知を行う際に、ＲＴＣの手段を用いて期限切れの判定を行うことを特徴とする、請求項６に記載のポイントカードシステム。
【００１６】
さらに、前記小売店側の携帯電話機では、ポイントカード情報の小売店情報に含まれる認証パスワードを入力する際にエコーバック時に「＊＊＊＊」のように認証パスワードを隠して表示し、前記顧客側の携帯電話機から送信されるポイントカード情報が該当小売店のポイントカード情報であるかの判定を行う。
さらに、前記顧客側の携帯電話機では新規登録時にはポイントカード情報に顧客情報を入力し前記小売店側の携帯電話機に外部通信部を介して送信し、前記小売店側の携帯電話機では、前記顧客側の携帯電話機から外部通信部を介して受信したポイントカード情報に小売店情報が含まれていない場合には新規登録と判断し、受信したポイントカード情報に現状のポイント、最新のポイント変更履歴を含む小売店情報を入力してポイントカード情報を作成し、前記顧客側の携帯電話機に外部通信を介して送信し新規に保存させ、さらに、前記共用サーバーに無線基地局を介して送信し新規に保存させる。
【００１７】
さらに、前記顧客側の携帯電話機では保存したポイントカード情報を参照し、変更を要求すると、前記外部通信部を介して、参照されたポイントカード情報が小売店の携帯電話機に送信される。
さらに、前記顧客側の携帯電話機では保存したポイントカード情報を参照し、削除を要求すると、参照されたポイントカード情報が削除される。
さらに、前記共用サーバーには小売店識別部が設けられ、前記小売店識別部は、前記小売店側の携帯電話機から変更されたポイントカード情報の保存、取り出しを求められた場合、ポイントカード情報の小売店情報に含まれる電話番号、認証パスワードにより前記小売店側の携帯電話機を識別して保存、取り出しを行わせる。
さらに、１つの小売店に対して複数の前記小売店側の携帯電話機が設けられる。
【００１８】
さらに、前記携帯電話機にＵＩＭカードの使用が可能である場合、小売店側の携帯電話機では、ＵＩＭカードで顧客の携帯電話機であるかの判定を行う。
さらに、前記携帯電話機が非接触ＩＣカード搭載型携帯電話機であり、リーダーライターが搭載されている場合には、短距離通信の非接触ＩＣカードを前記外部通信部として用いる。
【００１９】
さらに、本発明は、小売店側から顧客側に発行されるポイントカード情報を処理するポイントカード情報処理方法において、顧客側の携帯電話機から小売店側の携帯電話機に対してポイントカード情報を短距離通信で送信を行う工程と、小売店側の携帯電話機でポイントカード情報を受信した場合、受信したポイントカード情報を変更する工程と、小売店側の携帯電話機から顧客側の携帯電話機に対して変更したポイントカード情報を短距離通信で送信する工程と、顧客側の携帯電話機で変更されたポイントカード受信した場合、変更されたポイントカード情報を保存する工程と、小売店側の携帯電話機から無線基地局を介して共用サーバーに変更したポイントカード情報を送信する工程と、共用サーバーで受信したポイントカードを小売店毎に取り出し可能に保存する工程とを備えることを特徴とするポイントカード情報処理方法を提供する。
【００２０】
さらに、本発明は、小売店側から顧客側に発行されるポイントカード情報を処理するポイントカード情報処理をコンピュータで実行するプログラムにおいて、顧客側の携帯電話機から小売店側の携帯電話機に対してポイントカード情報を短距離通信で送信を行う手順と、小売店側の携帯電話機でポイントカード情報を受信した場合、受信したポイントカード情報を変更する手順と、小売店側の携帯電話機から顧客側の携帯電話機に対して変更したポイントカード情報を短距離通信で送信する手順と、顧客側の携帯電話機で変更されたポイントカード受信した場合、変更されたポイントカード情報を保存する手順と、小売店側の携帯電話機から無線基地局を介して共用サーバーに変更したポイントカード情報を送信する手順と、共用サーバーで受信したポイントカードを小売店毎に取り出し可能に保存する手順とを備えることを特徴とする、ポイントカード情報処理をコンピュータで実行するプログラムを提供する。
【００２１】
さらに、本発明は、無線基地局を介して相互に接続される携帯電話機において、顧客側の携帯電話機及び小売店側の携帯電話機の双方に搭載され、短距離通信で顧客側と小売店側の間でポイントカード情報の送受信を行う外部通信部と、顧客側の携帯電話機及び小売店側の携帯電話機の双方に取り込まれ、顧客側の携帯電話機に保存されているポイントカード情報を小売店側の携帯電話機に前記外部通信部を介して送信し、小売店側の携帯電話機で変更されたポイントカード情報を顧客側の携帯電話機で前記外部通信部を介して受信し、保存し、小売店側の携帯電話機で変更されたポイントカード情報を、無線基地局を介して、共用サーバーに送信し、小売店毎に取り出し可能に保存させるポイントカード用アプリケーションとを備えることを特徴とする携帯電話機を提供する。
【００２２】
さらに、本発明は、無線基地局を介して携帯電話機に接続される共用サーバーにおいて、顧客側の携帯電話機からのポイントカード情報を小売店側の携帯電話機で変更し、無線基地局を介して変更したポイントカード情報を受信し小売店毎に取り出し可能に保存するポイントカード情報格納部と、小売店側の携帯電話機から前記ポイントカード情報格納部への保存、取り出しに対して、ポイントカード情報の小売店情報に含まれる電話番号、認証パスワードにより小売店の識別を行う小売店識別部とを備えることを特徴とする共用サーバーを提供する。
【発明の効果】
【００２３】
以上説明したように、本発明によれば、顧客側の携帯電話機から小売店側の携帯電話機に対してポイントカード情報を短距離通信で送信を行い、小売店側の携帯電話機でポイントカード情報を受信した場合、受信したポイントカード情報を変更し、小売店側の携帯電話機から顧客側の携帯電話機に対して変更したポイントカード情報を短距離通信で送信し、顧客側の携帯電話機で変更されたポイントカード受信した場合、変更されたポイントカード情報を保存し、小売店側の携帯電話機から無線基地局を介して共用サーバーに変更したポイントカード情報を送信し、共用サーバーで受信したポイントカードを小売店毎に取り出し可能に保存するようにしたので、従来のポイントカードシステムのように小売店側のＰＯＳシステムと連携していたが、このようなＰＯＳシステムにとらわれず、ポイントカードシステムを持つことが可能になり、換言すれば、サーバーデータの管理を小規模の小売店の携帯電話機アプリケーションで独自に管理し、小売店の携帯電話機アプリケーションがマスタとなり、顧客側の携帯電話機アプリケーションをスレーブとして動作することによって、小売店側の携帯電話無線機主体でポイントカードシステムを運営することが可能となる。
【００２４】
さらに、本発明のポイントカードシステムの導入が容易なことである。小売店側、顧客側の双方がアプリケーションの動作環境と外部通信機能（赤外線通信・Ｂｌｕｅｔｏｏｔｈ通信など）を搭載した携帯電話機を用意することで実現可能なためである。特に、小売店側が携帯電話機であるため、設置場所を必要とせず、配線を必要としないためである。さらに、携帯電話機を用いるので、コストが低廉で実現可能である。
【００２５】
さらに、データフォーマット統一により、複数の小売店の顧客情報を共用のサーバーにて保存することにより、各小売店毎に安いコストでポイントカードシステムのサーバーを設置することが可能になる。
さらに、携帯電話機という生活必需品にポイントカード情報を保存することにより、従来の紙のポイントカードより格段に紛失する可能性を減らすことが可能となる。
【００２６】
さらに、現在実現されているポイントカードデータは携帯電話機内に各小売店のポイントカードシステム毎に専用アプリケーションを保存する必要があるのに対して、本発明では１つのアプリケーションにて複数のポイントカード情報を管理することが可能なため、携帯電話機内メモリ使用量の削減が可能になる。
さらに、小売店側でも携帯電話機を使用することによりポイントカードシステムの携帯が可能となり、利便性の向上が可能となる。これにより、店舗位置にとらわれずに出張販売、訪問販売先でのポイントカードシステムのサービス提供が可能となる。
【００２７】
さらに、本発明に使用するアプリケーションをＪａｖａ（登録商標）アプリケーションといった携帯電話機上で動作可能なアプリケーションで実現することにより、現在普及している携帯電話機でも本発明のポイントカードシステムの使用が可能になる。
【発明を実施するための最良の形態】
【００２８】
以下、本発明の実施の形態について図面を参照して説明する。
図１は本発明に係るポイントカードシステムの概略ネットワーク構成を示す図である。本図に示すように、ポイントカードシステムは、携帯電話機１０１、複数の携帯電話機１０２、１０３、無線基地局１０４、共用サーバー１０５で構成される。
携帯電話機１０１、複数の携帯電話機１０２、１０３は通話、通信可能であり、市販されているものであり、基本的な構成では同一である。
【００２９】
携帯電話機１０１と複数の携帯電話機１０２、１０３の各々とは、短距離通信を行うため、赤外線通信（ＩｒＤＡ）、Ｂｌｕｅｔｏｏｔｈ通信などを含む外部通信機器による短距離無線通信回線１１０で接続され、複数の携帯電話機１０２、１０３と無線基地局１０４は無線回線１１１で接続され、無線基地局１０４と共用サーバー１０５は有線回路１１２で接続される。
【００３０】
ここに、無線回線１１１、無線基地局１０４は携帯電話網を構成している。
さらに、携帯電話機１０１は顧客が有し、複数の携帯電話機１０２、１０３のうち携帯電話機１０２は小売店Ａの店員が有し、携帯電話機１０３は小売店Ｂの店員が有する。
顧客側の携帯電話機１０１、小売店側の複数の携帯電話機１０２、１０３は構成上同じであり差異はない。
【００３１】
顧客側の携帯電話機１０１と小売店側の携帯電話機１０２又は携帯電話機１０３の間でポイントカードシステムを使用する場合には、短距離無線通信回線１１０を使用し、ポイントカード情報の送受信を行う。後述するように、ポイントカード情報は管理情報番号、顧客情報、小売店情報からなり、管理情報番号は複数のポイントカード情報を管理する場合に使用され、顧客情報は携帯電話機を有する顧客の情報であり、小売店情報は携帯電話機を使用する小売店の情報である。
【００３２】
共用サーバー１０５は複数の携帯電話機１０２、１０３により共用で保存、取り出し可能に使用される。顧客のポイントカード情報を小売店側の携帯電話機１０２、１０３内で管理できる数量は限りがあるためである。複数の小売店で共用するので、コストを低廉にすることが可能になる。
顧客側の携帯電話機１０１内のアプリケーションによりポイントカード情報の送受信の結果が管理され、顧客側の携帯電話機１０１はアプリケーションを使用してポイントカード情報からポイントの確認を実施する。
【００３３】
小売店Ａ側の携帯電話機１０２又は小売店Ｂ側の携帯電話機１０３内のアプリケーションでは、顧客側の携帯電話機１０１に変更したポイントカード情報の送信後に、無線回線１１１、無線基地局１０４、有線回路１１２を介して、共用サーバー１０５に変更したポイントカード情報を保存する。換言すれば、小売店Ａ側の携帯電話機１０２又は小売店Ｂ側の携帯電話機１０３がマスタとして、顧客側の携帯電話機１０１、小売店識別部１０５Ａがスレーブとして動作し、小売店側の携帯電話機主体でポイントカードシステムを運営することが可能となる。
【００３４】
なお、好ましくは、共用サーバー１０５はインターネット上に設けるようにしてもよい。
以下詳細に説明を行う。
図２は携帯電話機１０１（１０２、１０３）の概略構成を示す図である。前述のように、顧客側の携帯電話機１０１、小売店側の複数の携帯電話機１０２、１０３は基本的な構成が同一であり、携帯電話機１０１について以下に説明を行う。本図に示すように、携帯電話機１０１にはＣＰＵ（中央演算装置）２０３が設けられ、ＣＰＵ２０３は携帯電話機１０１の全体を制御する。
【００３５】
ＣＰＵ２０３には無線通信制御部２０４、ポイントカード制御部２１２、Ｂｌｕｅｔｏｏｔｈ通信部２１３、赤外線モジュール通信部２１６が設けられる。
さらに、ＣＰＵ２０３には、無線通信モジュール２０２、赤外線モジュール制御部２１７、Ｂｌｕｅｔｏｏｔｈモジュール制御部２１４、表示制御部２２０、キー制御部２２１、ＲＴＣ（Ｒｅａｌ  Ｔｉｍｅ  Ｃｌｏｃｋ）２２３、メモリ２０５が接続される。
【００３６】
さらに、無線通信モジュール２０２にはアンテナ２０１が接続され、アンテナ２０１は無線回線１１１を介して無線基地局１０４と接続され、通話、通信を行うために使用される。
さらに、Ｂｌｕｅｔｏｏｔｈモジュール制御部２１４にはＢｌｕｅｔｏｏｔｈ送受信部２１５が接続され、Ｂｌｕｅｔｏｏｔｈ送受信部２１５は、Ｂｌｕｅｔｏｏｔｈモジュール制御部２１４の制御により、他の携帯電話機のＢｌｕｅｔｏｏｔｈ送受信部２１５に対して短距離無線通信回線１１０を介して短距離の無線通信を行うために使用される。
【００３７】
さらに、赤外線モジュール制御部２１７には赤外線送受信部２１８が接続され、赤外線送受信部２１８は、赤外線モジュール制御部２１７の制御により、他の携帯電話機の赤外線送受信部２１８に対して短距離無線通信回線１１０を介して短距離の無線通信を行うために使用される。
表示制御部２２０にはＬＣＤ（液晶表示部）２１９が接続され、ＬＣＤ２１９は表示制御部２２０の制御により送受信したデータを表示する。
【００３８】
キー制御部２２１にはキー押下部２２２が接続され、キー押下部２２２の操作のキー押下動作内容はキー制御部２２１によりＣＰＵ２０３に伝えられる。
ＲＴＣ２２３は現在の時刻、年月日をＣＰＵ２０３に伝え、後述するポイントカード情報の有効期限の判定に使用される。
メモリ２０５には無線通信プログラム格納部２０６、アプリケーション実行環境プログラム格納部２０７、赤外線機能プログラム格納部２０８、Ｂｌｕｅｔｏｏｔｈプログラム格納部２０９、アプリケーションプログラム格納部２１０、アプリケーションデータ格納部２１１が設けられる。
【００３９】
無線通信プログラム格納部２０６、赤外線機能プログラム格納部２０８、Ｂｌｕｅｔｏｏｔｈプログラム格納部２０９、アプリケーションプログラム格納部２１０に保存される各プログラム等の動作、アプリケーションデータ格納部２１１へのデータの書き込み読み出し動作については、アプリケーション実行環境プログラム格納部２０７に保存されるアプリケーション実行環境プログラムの下で動作が行われる。
【００４０】
ここに、アプリケーションプログラム格納部２１０にはポイントカード用アプリケーションプログラム格納部２１０Ａが設けられ、ポイントカード用アプリケーションプログラム格納部２１０Ａはポイントカードシステムを管理するアプリケーションを保存し、携帯電話機への取り込み方法については任意であり、携帯電話機購入時に取り込まれ搭載されていてもよく、携帯電話機購入後にダウンロードで取り込むようにしてもよい。
【００４１】
なお、好ましくは、ポイントカード用アプリケーションプログラム格納部２１０Ａに取り込むポイントカードシステムを管理するアプリケーションはＪａｖａ（登録商標）アプリケーションで実現してもよい。
アプリケーションデータ格納部２１１にはポイントカード用アプリケーションデータ格納部２１１Ａが設けられ、ポイントカード用アプリケーションデータ格納部２１１Ａは携帯電話機への取り込みと同時にポイントカード用アプリケーションデータのフォーマットを取り込む。
【００４２】
次に、ポイントカードシステムを管理するアプリケーションの起動、操作時には、キー押下部２２２、キー制御部２２１から、ユーザの操作のキー押下動作内容をＣＰＵ２０３に伝えると、ＣＰＵ２０３のアプリケーション実行環境プログラム格納部２０７に保存されているアプリケーション実行環境プログラムの下で、ユーザの操作のキー押下動作内容が表示制御部２２０を介してＬＣＤ２１９に表示される。
【００４３】
ポイントカードのデータ作成時には、アプリケーション実行環境プログラム格納部２０７に保存されているアプリケーション実行環境プログラムの下で、ＣＰＵ２０３のポイントカード制御部２１２は、メモリ２０５のアプリケーションプログラム格納部２１０のポイントカード用アプリケーションプログラム格納部２１０Ａに保存されているポイントカード用アプリケーションプログラムを用いて、データ作成を実施し、アプリケーションデータ格納部２１１のポイントカード用アプリケーションデータ格納部２１１Ａで決められたデータフォーマットで、後述するように、管理される。
【００４４】
無線通信使用時には、アプリケーション実行環境プログラム格納部２０７に保存されているアプリケーション実行環境プログラムの下で、ＣＰＵ２０３の無線通信制御部２０４は、メモリ２０５の無線通信プログラム格納部２０６に保存されている無線通信プログラムを用いて、無線通信モジュール２０２を制御し、アンテナ２０１、無線回線１１１を介して、共用サーバー１０５に対してポイントカードのデータを変更する。
【００４５】
さらに、赤外線通信機能使用時には、アプリケーション実行環境プログラム格納部２０７に保存されているアプリケーション実行環境プログラムの下で、ＣＰＵ２０３の赤外線モジュール通信部２１６は、メモリ２０５の赤外線機能プログラム格納部２０８に保存されている赤外線機能プログラムを用いて、赤外線モジュール制御部２１７を制御し、赤外線送受信部２１８を介して、他の携帯電話機の赤外線送受信部２１８に対してデータの送受信を行う。
【００４６】
さらに、Ｂｌｕｅｔｏｏｔｈ通信使用時には、アプリケーション実行環境プログラム格納部２０７に保存されているアプリケーション実行環境プログラムの下で、ＣＰＵ２０３のＢｌｕｅｔｏｏｔｈ通信部２１３は、メモリ２０５のＢｌｕｅｔｏｏｔｈプログラム格納部２０９に保存されているＢｌｕｅｔｏｏｔｈプログラムを用いて、Ｂｌｕｅｔｏｏｔｈ送受信部２１５を介して、他の携帯電話機のＢｌｕｅｔｏｏｔｈ送受信部２１５に対してデータの送受信を行う。
【００４７】
このように、ポイントカードのデータの送受信は無線通信機能（共用サーバーアクセス用）、赤外線通信機能（携帯端末間通信用）、Ｂｌｕｅｔｏｏｔｈ通信（携帯端末間通信用）を用いて行われる。
さらに、データ送受信等の結果は、ＣＰＵ２０３のアプリケーション実行環境プログラム格納部２０７に保存されているアプリケーション実行環境プログラムの下で、動作するアプリケーションから表示制御部２２０を介してＬＣＤ２１９に表示される。
【００４８】
図３は図２におけるメモリ２０５のアプリケーションプログラム格納部２１０のポイントカード用アプリケーションプログラム格納部２１０Ａに格納されているアプリケーションを説明する図である。
本図に示すように、本発明に係るメモリ２０５のアプリケーションプログラム格納部２１０のポイントカード用アプリケーションプログラム格納部２１０Ａに格納されているアプリケーションには、顧客用アプリケーション２５０と小売店用アプリケーション２５１の２つが用意され、本発明のポイントカードシステムを実現する。
【００４９】
顧客用アプリケーション２５０では顧客のポイントカード情報（顧客データ）の管理、外部通信機器の制御、ＬＣＤ制御などのユーザインターフェース部分の制御を行う。
小売店用アプリケーション２５１では小売店のポイント追加を行った顧客情報、外部通信機器の制御、ＬＣＤ制御などのユーザインターフェース部分の制御に加え、無線機能を使用し顧客データを共用サーバー１０５に対してアップロード又はダウンロードの制御を行う。
【００５０】
図４は図２のメモリ２０５におけるアプリケーションデータ格納部２１１に保存されるポイントカードのデータフォーマットを示す図である。本図に示すように、アプリケーションデータ格納部２１１に保存されるデータフォーマットには管理番号情報の欄が設けられ、管理番号情報は複数のポイントカードを管理する場合に使用する管理番号である。
ポイントカードのデータフォーマットには顧客情報と小売店情報の２つのカテゴリの欄に分類される。
【００５１】
顧客情報には会員番号、名前、電話番号、メールアドレス、生年月日の欄が設けられ、各欄に各情報が保存され、さらに、有効期限通知機能ＯＮ／ＯＦＦの欄が設けられ、この欄にＯＮ／ＯＦＦの情報が保存される。
小売店情報の欄には小売店名、小売店番号、現状のポイント、最新のポイント変更履歴、有効期限、認証パスワード、電話番号、住所、メールアドレス、ホームページアドレス、広告情報の欄が設けられ、各欄に基本的な小売店情報に加え、ポイント情報として現状のポイントと最新のポイント変更履歴が保存される。
【００５２】
なお、有効期限通知機能ＯＮ／ＯＦＦ、有効期限、最新のポイント変更履歴はポイントカード情報の有効期限に関する情報である。
有効期限通知機能ＯＮ／ＯＦＦは、ＯＮの場合は、最新のポイント変更時を起点として有効期限の決められた所定の日数前に顧客にに期限切れの有効期限通知を行う機能である。この場合、有効期限切れの通知機能は図２におけるＲＴＣ２２３を用いて行う。有効期限切れのポイントカード情報の現状のポイントは無効になる。
【００５３】
さらに、認証パスワードの情報は該当小売店のポイントカード情報であるかの判定に用いられる。
図５は図１における共用サーバー１０５の概略構成を示すブロック図である。本図に示すように、共用サーバー１０５には小売店識別部１０５Ａが設けられ、共用サーバー１０５は複数の小売店側の携帯電話機１０２、１０３からの保存、取り出しのアクセスに対して、後述するポイントカード情報の小売店情報に含まれる電話番号、認証パスワード等により識別を行う。
【００５４】
さらに、共用サーバー１０５にはポイントカード情報格納部１０５Ｂが設けられ、ポイントカード情報格納部１０５Ｂは複数の小売店側の携帯電話機１０２、１０３毎に送信されたポイントカード情報を、後述するように、保存する。
図６はポイントカードの新規登録用として図４のデータフォーマットの欄に予め入力される情報例を示す図である。
【００５５】
本図（ａ）に示すように、顧客側の携帯電話機１０１のアプリケーションデータ格納部２１１には、新規登録用のポイントカードの顧客情報として、データフォーマットの管理情報番号の欄に「Ｘ１」、顧客情報の会員番号の欄に「Ａ１１」、名前の欄に「Ｂ１１」、電話番号の欄に「Ｃ１１」、メールアドレスの欄に「Ｄ１１」、生年月日の欄に「Ｅ１１」、有効期限通知機能ＯＮ／ＯＦＦの欄に「ＯＮ」が顧客側で入力され、保存される。
【００５６】
本図（ｂ）に示すように、小売店側の携帯電話機１０２（１０３）のアプリケーションデータ格納部２１１には、新規登録用のポイントカードの小売店情報として、データフォーマットの管理情報番号の欄に「Ｙ１１」、小売店情報の小売店名の欄に「Ｆ１１」、小売店番号の欄に「Ｇ１１」、有効期限の欄に「Ｊ１１」、認証パスワードの欄に「＊＊＊＊」、電話番号の欄に「Ｋ１１」、住所の欄に「Ｌ１１」、メールアドレスの欄に「Ｍ１１」、ホームページアドレスの欄に「Ｎ１１」、広告情報の欄に「Ｏ１１」が小売店側で入力され、保存される。
【００５７】
ここに、認証パスワードの欄に入力されたパスワードのエコーバック時に「＊＊＊＊」のように表示し、パスワードの表示が隠される。また、広告情報の欄に入力される「Ｏ１１」には、文字、絵、音情報、画像、映像情報で形成される広告情報が含まれる。
新規登録時に本図（ａ）に示すポイントカードの顧客情報と本図（ｂ）に示すポイントカードの小売店情報とが、以下のように、合体され、新規のポイントカードが作成される。
【００５８】
小売店情報の現状のポイントの欄、最新のポイント変更履歴の欄には、小売店で買い物等が行われたときに現状のポイントの情報、最新のポイント変更時の情報が入力される。
図７は新規登録時に顧客情報、小売店情報が合体して作成されるポイントカードの例を示す図である。
本図（ａ）に示すように、顧客情報と小売店情報とが合体して新規に作成されたポイントカードの情報が顧客側の携帯電話機１０１のポイントカード用アプリケーションデータ格納部２１１Ａに保存され、新規に登録される。
【００５９】
本図（ｂ）には、本図（ａ）で新規に作成されたポイントカードの情報が共用サーバー１０５に保存される。
本図（ａ）に示すポイントカードの情報と本図（ｂ）に示すポイントカードの情報とは、管理情報番号を除いて同一である。
図８は顧客側の携帯電話機１０１のポイントカード用アプリケーションデータ格納部２１１Ａに保存される複数のポイントカードの情報例を示す図である。本図に示すように、顧客側の携帯電話機１０１のポイントカード用アプリケーションデータ格納部２１１Ａには複数の携帯電話機１０２、１０３に対するポイントカードの情報が保存される。管理番号Ｘ１、Ｘ２、…、Ｘｋを指定することにより、該当するポイントカードの情報を取り出すことが可能である。
【００６０】
図９は図５における共用サーバー１０５のポイントカード情報格納部１０５Ｂに保存される複数の小売店のポイントカードの情報例を示す図である。
ポイントカード情報格納部１０５Ｂには、本図（ａ）に示すように携帯電話機１０１の小売店の複数の顧客のポイントカードの情報が保存され、本図（ｂ）に示すように携帯電話機１０２の小売店の複数の顧客のポイントカードの情報が保存され、同様に、他の小売店の複数の顧客のポイントカードの情報も保存される。
【００６１】
図１０は顧客側の携帯電話機１０１のポイントカードの情報の変更例を示す図である。顧客側の携帯電話機１０１のポイントカード用アプリケーションデータ格納部２１１Ａに保存されているポイントカードの情報のうち、小売店情報の現状のポイントの欄、最新のポイント変更履歴の欄の情報が小売店の買い物等により、本図（ａ）に示す「Ｈ１１」、「Ｉ１１」から「Ｈ１１’」、「Ｉ１１’」に変更される。
【００６２】
さらに、広告情報の欄の情報が定期的に小売店側により本図（ａ）に示す「Ｏ１１」から本図（ｂ）に示す「Ｏ１１’」変更される。
図１１は共用サーバー１０５のポイントカード情報の変更例を示す図である。小売店情報の現状のポイントの欄、最新のポイント変更履歴の欄の情報が図９の変更に伴って、共用サーバー１０５に保存されるポイントカードの情報のうち、現状のポイントの欄、最新のポイント変更履歴の欄、広告情報の欄に対して、本図（ａ）に示す「Ｈ１１」、「Ｉ１１」、「０１１」から本図（ｂ）に示す「Ｈ１１’」、「Ｉ１１’」、「０１１’」に変更される。
【００６３】
図１２は図３の顧客用アプリケーション２５０の処理を行うポイントカード制御部２１２の制御動作例を説明するフローチャートである。
ポイントカード制御部２１２では、アプリケーション実行環境プログラム格納部２０７に保存されるアプリケーション実行環境プログラムの下で、顧客用アプリケーション２５０に基づき、ポイントカード情報の参照からポイントカードの新規登録、ポイント加減の変更、ポイントカード情報の削除、ポイントカード情報の有効期限通知の機能を実現する。具体的な処理を以下に記載する。
【００６４】
本図に示すように、ステップ４０１において、携帯電話機１０１の顧客用アプリケーション２５０を起動する。
ステップ４０２において、「モード選択」を実施する。顧客用アプリケーション２５０の処理として大きく分けると、ポイントカード情報の新規登録モードとポイントカード情報の参照・変更・削除モードの２つのモードを持ち、下記の２つのモードに分岐するための判断を行う。すなわち、ポイントカード情報の新規登録モードを選択する場合はステップ４０３に進み、携帯電話機１０１内のポイントカード情報を参照・変更・削除するモードを選択する場合はステップ４１１に進む。
【００６５】
ステップ４０３において、ポイントカード情報の新規登録モードの場合、「外部通信機能選択」を実施する。小売店側の携帯電話機１０２、１０３のそれぞれの外部通信機能に合わせた外部通信機能（赤外線通信・Ｂｌｕｅｔｏｏｔｈ通信など）を選択する。
ステップ４０４において、「外部通信機能の起動」を実施する。これにより、外部通信機能が起動する。
【００６６】
ステップ４０５において、「個人情報を送信」を実施する。顧客の個人情報が入ったポイントカード情報（図６（ａ）参照）を送信する。
ステップ４０６において、「ポイントカード情報を受信」を実施する。小売店側で新規に作成されたポイントカード情報（図７（ａ）参照）を受信する。
ステップ４０７において、「外部通信機能を終了」を実施する。これにより、外部通信機能が終了する。
【００６７】
ステップ４０８において、「有効期限通知機能をＯＮ設定？」を実施する。すなわち、有効期限通知機能を使用するように設定されているか否かの判断を実施する。有効期限通知機能を使用する場合はステップ４０９に進み、有効期限通知機能を使用しない場合はステップ４１０に進む。
ステップ４０９において、「有効期限通知機能開始処理」を実施する。携帯電話機１０１のＲＴＣ２２３の機能を使用し、有効期限通知機能を開始する。
【００６８】
ステップ４１０において、「ポイントカード情報を保存」を実施する。携帯電話機１０１のポイントカード用アプリケーションデータ格納部２１１Ａにポイントカード情報を保存し、新規の登録を行い、処理を終了する。
ステップ４１１において、携帯電話機１０１内のポイントカード情報を参照するモードを選択した場合、「参照するポイントカード情報選択」を実施する。メモリ２０５のアプリケーションデータ格納部２１１のポイントカード用アプリケーションデータ格納部２１１Ａにおいて、ポイントカード情報を規則的なフォーマットで管理しており、複数のポイントカード情報（図８参照）を保存することが可能である。本処理は、管理情報番号を指定して、複数のポイントカード情報から参照するポイントカード情報を選択する。
【００６９】
ステップ４１２において、「参照するポイントカード情報の表示」を実施する。携帯電話機１０１の表示制御部２２０を使用しＬＣＤ２１９に選択したポイントカード情報を表示する。
ステップ４１３において、「参照中のポイントカード情報の変更？」を実施する。顧客の持っているポイントカード情報に小売店で買い物等を行うと支給されるポイントを取り込み、また顧客がこれまでに貯まったポイントを使用する場合においてポイントの使用を行うといったポイントカード情報の使用状況を考慮した判断処理である。すなわち、ポイントカード情報の加減を行うか、ポイント情報の参照を行うかを判断する処理である。
【００７０】
ポイントの加減実施の場合にはステップ４１４に進み、ポイントの加減を実施しない場合はステップ４２３に進む。
ステップ４１４において、「外部通信機能の選択」を実施する。小売店側の携帯電話機１０２、１０３の外部通信機能に合わせた外部通信機能（電話機能以外の赤外線通信、Ｂｌｕｅｔｏｏｔｈ通信などを指し、以後、外部通信機能という。）を選択する。
【００７１】
ステップ４１５において、「外部通信機能の起動」を実施する。これにより、外部通信機能が起動する。
ステップ４１６において、「参照中のポイントカード情報を送信」を実施する。これにより、ポイントカード情報（図１０（ａ）参照）が送信される。ポイントカード情報が正常なデータであることの判断はポイントカード情報の認証パスワードを用いて実施されるが、認証処理は小売店側で判断するものとし顧客側はポイントカード情報の送信のみを行う。
【００７２】
ステップ４１７において、「認証パスワード不一致の通知受信？」を実施する。受信した場合にはステップ４２１に進む。準正常系動作として、先に送信したポイントカード情報が小売店側で不正と判断された場合は処理中止の旨の通知を受信する
ステップ４１８において、認証パスワード不一致の通知を受信しない場合には「変更したポイントカード情報を受信」を実施する。小売店側で変更したポイントカード情報（図１０（ｂ）参照）を受信する。
【００７３】
ステップ４１９において、「外部通信機能を終了」を実施する。外部通信機能を終了する。
ステップ４２０において、「受信したポイントカード情報を保存」を実施する。受信したポイントカード情報をメモリ２０５のアプリケーションデータ格納部２１１におけるポイントカード用アプリケーションデータ格納部２１１Ａに保存し、処理を終了する。
【００７４】
ステップ４２１において、認証パスワード不一致の通知受信を受信した場合、「外部通信機能を終了」を実施する。外部通信機能を終了する。
ステップ４２２において、処理中止の旨の表示をＬＣＤ２１９に行い、処理を終了する。
ステップ４２３において、ポイントの加減を実施しない場合は、「参照中のポイントカード情報の削除？」を実施する。この処理は、ユーザーが不要と判断したポイントカード情報を削除する処理である。この処理については参照するポイントカード情報決定後であれば、任意のタイミングで実施すればよい処理である。
【００７５】
削除する場合はステップ４２４に進む。削除しない場合は処理を終了する。
ステップ４２４において、「参照中のポイントカード情報の削除」を実施する。参照中のポイントカード情報を削除し処理を終了する。
図１３は図３の小売店用アプリケーション２５１の処理を行うポイントカード制御部２１２の制御動作例を説明するフローチャートである。
【００７６】
ポイントカード制御部２１２では、アプリケーション実行環境プログラム格納部２０７に保存されるアプリケーション実行環境プログラムの下で、小売店用アプリケーション２５１に基づき、顧客ポイントカード情報の参照からポイントカード情報へのポイント加算減算・広告情報の変更を行う。また、顧客のポイントカード情報を、小売店側の携帯電話機１０２、１０３内で管理できる数量は限りがあるため、顧客のポイントカード情報を、無線回線１１１を用いて、共用サーバー１０５に保存、登録することを行う。具体的な処理を以下に記載する。
【００７７】
本図に示すように、ステップ４３１において、複数の小売店の携帯電話機１０２、１０３の各々で小売店用アプリケーション２５１を起動する。
ステップ４３２において、「外部通信機能の選択」を実施する。顧客側の携帯電話機１０１の外部通信機能に合わせた外部通信機能（赤外線通信・Ｂｌｕｅｔｏｏｔｈ通信など）を実施する。
【００７８】
ステップ４３３において、「外部通信機能の起動」を実施する。これにより、外部通信機能が起動する。
ステップ４３４において、「顧客データの受信」を実施する。顧客の携帯電話機１０１からポイントカード情報を受信する。
ステップ４３５において、「新規登録用の顧客データ？」を実施する。受信したポイントカード情報の小売店名・小売店番号を確認する。確認すべき小売店情報の内容がなければ（ＮＵＬＬであれば）、新規登録用のポイントカードの顧客情報（図６（ａ）参照）からなる顧客データと判断する。確認すべき小売店情報のデータ無しの場合は、ステップ４３７に進み、確認すべき小売店情報のデータ有りの場合は（図１０（ａ）参照）、ステップ４３８に進む。
【００７９】
ステップ４３６において、「ポイントを設定」を実施する。図６（ｂ）の小売店情報の現状のポイントの欄に「Ｈ１１」を設定する。
ステップ４３７において、「送受信履歴を設定」を実施する。図６（ｂ）の小売店情報の最新ポイント変更履歴の欄に「Ｉ１１」を設定する。
ステップ４３８において、「新規のポイントカードの作成」を実施する。確認すべき小売店情報のデータ無しの場合は、小売店側の携帯電話機１０２（１０３）のアプリケーションデータ格納部２１１から新規登録用のポイントカードの小売店情報（図６（ｂ）参照）を取り出し、新規登録用のポイントカードの顧客情報（図６（ａ）参照）と合体し、新規のポイントカード情報（７（ａ）、７（ｂ））を作成する。
【００８０】
ステップ４３９において、「認証パスワード一致？」を実施する。確認すべき小売店情報のデータ有りの場合は、顧客側から受信したポイントカード情報（図１０（ａ））の小売店名・小売店番号・認証パスワードを確認し、不正データであるかの確認と該当小売店ポイントカード情報であることの確認を行う。データが一致の場合はステップ４４０に進み、データが不一致の場合はステップ４４８に進む。
【００８１】
ステップ４４０において、「ポイントを加算（減算）」を実施する。顧客側から受信したポイントカード情報が正常データであることからポイントカード情報の小売店情報の現状ポイント欄のポイントを加算（減算）する（図１０（ｂ）参照）。
ステップ４４１において、「最新のポイント変更履歴を変更」を実施する。ポイントカード情報の小売店情報の最新のポイント変更履歴の欄の履歴情報を変更する（図１０（ｂ）参照）。
【００８２】
ステップ４４２において、「広告情報などの必要情報の変更」を実施する（図１０（ｂ）参照）。ポイントカード情報の小売店情報の広告情報の欄の情報を変更する。
ステップ４４３において、「ポイントカード情報の送信」を実施する。新規のポイントカード情報（図７（ａ）参照）又は変更したポイントカード情報（図１０（ｂ）参照）を顧客の携帯電話機１０１に送信し、携帯電話機１０１のポイントカード用アプリケーションデータ格納部２１１Ａに新規のポイントカード情報（図７（ａ）参照）、変更したポイントカード情報（図１０（ｂ）参照）を保存させる。
【００８３】
ステップ４４４において、「外部通信機能を終了」を実施する。
ステップ４４５において、「無線通信機能を起動」を実施する。これにより、無線通信機能が起動する。
ステップ４４６において、「新規又は変更データ（ポイントカード情報）を共用サーバー１０５に登録」を実施する。無線回線１１１を介して、共用サーバー１０５に新規のポイントカード情報（図７（ｂ）参照）を登録し又は該当するポイントカード情報（図１１（ａ）参照）に対して変更したポイントカード情報（図１１（ｂ）参照）を変更登録する。なお、共用サーバー１０５には複数の小売店側の携帯電話機１０２、１０３から図９に示すように登録、変更登録が行われる。
【００８４】
ステップ４４７において、「無線通信機能を終了」を実施する。これにより、無線通信を終了し、処理を終了する。
ステップ４４８において、「顧客側にポイントカード不一致を通知」を実施する。顧客側の携帯電話機１０１に保存されているポイントカード情報が異なる旨の内容を、外部通信機能を介して、通知する。
【００８５】
ステップ４４９において、「外部通信機能を終了」を実施する。外部通信機能を終了し、処理を終了する。
したがって、本発明によれば、従来のポイントカードシステムのように小売店側のＰＯＳシステムと連携していたが、このようなＰＯＳシステムにとらわれず、ポイントカードシステムを持つことが可能になり、換言すれば、サーバーデータの管理を小規模の小売店の携帯電話機アプリケーションで独自に管理し、小売店の携帯電話機アプリケーションがマスタとなり、顧客側の携帯電話機アプリケーションをスレーブとして動作することによって、小売店側の携帯電話無線機主体でポイントカードシステムを運営することが可能となる。
【００８６】
さらに、本発明のポイントカードシステムの導入が容易なことである。小売店側、顧客側の双方がアプリケーションの動作環境と外部通信機能（赤外線通信・Ｂｌｕｅｔｏｏｔｈ通信など）を搭載した携帯電話機を用意することで実現可能なためである。特に、小売店側が携帯電話機であるため、設置場所を必要とせず、配線を必要としないためである。さらに、携帯電話機を用いるので、コストが低廉で実現可能である。
【００８７】
さらに、データフォーマット統一により、複数の小売店の顧客情報を共用のサーバーにて保存することにより、各小売店毎に安いコストでポイントカードシステムのサーバーを設置することが可能になる。
さらに、携帯電話機という生活必需品にポイントカード情報を保存することにより、従来の紙のポイントカードより格段に紛失する可能性を減らすことが可能となる。
【００８８】
さらに、現在実現されているポイントカードデータは携帯電話機内に各小売店のポイントカードシステム毎に専用アプリケーションを保存する必要があるのに対して、本発明では１つのアプリケーションにて複数のポイントカード情報を管理することが可能なため、携帯電話機内メモリ使用量の削減が可能になる。
さらに、小売店側でも携帯電話機を使用することによりポイントカードシステムの携帯が可能となり、利便性の向上が可能となる。これにより、店舗位置にとらわれずに出張販売、訪問販売先でのポイントカードシステムのサービス提供が可能となる。
【００８９】
さらに、本発明に使用するアプリケーションをＪａｖａ（登録商標）アプリケーションといった携帯電話機上で動作可能なアプリケーションで実現することにより、現在普及している携帯電話機でも本発明のポイントカードシステムの使用が可能になる。
【実施例１】
【００９０】
好ましくは、１つの小売店で複数の顧客の携帯電話機１０１−１、１０１−２、…、１０１−ｍに対して複数の携帯電話機１０２−１、１０２−２、…、１０２−ｎでポイントカード情報を処理するようにしてもよい。これにより、顧客が複数、店員が複数でも対応可能になる。
【実施例２】
【００９１】
携帯電話機にＵＩＭ（Ｕｓｅｒ  Ｉｄｅｎｔｉｆｙ  Ｍｏｄｕｌｅ）カードが使用可能の場合には、本発明のポイントカードシステムを使用時に、顧客の携帯電話機のＵＩＭカードの情報と照合することにより、顧客の判定を行い、ポイントカードの使用を禁止し、第３者へのポイントカード情報の譲渡などを未然に防ぐことが可能になる。
【実施例３】
【００９２】
さらに、携帯電話機は生活必需品であり、容易に他人に預けることができないという特徴を用いて、本発明のポイントカードシステムにおけるポイントを学校の授業、学会、会議などの出欠確認に置換することにより、学校の授業、学会、会議などの出欠確認を必要とする場において本発明のポイントカードシステムを使用することにより出欠確認が容易に実現することが可能となる。
【実施例４】
【００９３】
非接触ＩＣカード搭載型携帯電話機にリーダーライターが搭載された場合に対しては、非接触ＩＣカードを本発明の外部通信機能として用いることが可能である。
【産業上の利用可能性】
【００９４】
以上、携帯電話機について説明を行ったが、これに限定されず、ＰＨＳ（簡易携帯電話機）、ＰＤＡ（携帯情報端末）にも本発明の利用が可能である。
【図面の簡単な説明】
【００９５】
【図１】本発明に係るポイントカードシステムの概略ネットワーク構成を示す図である。
【図２】携帯電話機１０１（１０２、１０３）の概略構成を示す図である。
【図３】図２におけるメモリ２０５のアプリケーションプログラム格納部２１０のポイントカード用アプリケーションプログラム格納部２１０Ａに格納されているアプリケーションを説明する図である。
【図４】図２のメモリ２０５におけるアプリケーションデータ格納部２１１に保存されるポイントカードのデータフォーマットを示す図である。
【図５】図１における共用サーバー１０５の概略構成を示すブロック図である。
【図６】ポイントカードの新規登録用として図４のデータフォーマットの欄に予め入力される情報例を示す図である。
【図７】新規登録時に顧客情報、小売店情報が合体して作成されるポイントカードの例を示す図である。
【図８】顧客側の携帯電話機１０１のポイントカード用アプリケーションデータ格納部２１１Ａに保存される複数のポイントカードの情報例を示す図である。
【図９】図５における共用サーバー１０５のポイントカード情報格納部１０５Ｂに保存される複数の小売店のポイントカードの情報例を示す図である。
【図１０】顧客側の携帯電話機１０１のポイントカードの情報の変更例を示す図である。
【図１１】共用サーバー１０５のポイントカード情報の変更例を示す図である。
【図１２】図３の顧客用アプリケーション２５０の処理を行うポイントカード制御部２１２の制御動作例を説明するフローチャートである。
【図１３】図３の小売店用アプリケーション２５１の処理を行うポイントカード制御部２１２の制御動作例を説明するフローチャートである。
【符号の説明】
【００９６】
１００…ポイントカードシステム
１０１…顧客側の携帯電話機
１０２、１０３…小売店側の携帯電話機
１０４…無線基地局
１０５…共用サーバー
１０５Ａ…小売店識別部
１０５Ｂ…ポイントカード情報格納部
１１０…短距離無線通信回線
１１１…無線回線
１１２…有線回路
２０１…アンテナ
２０２…無線通信モジュール制御部
２０３…ＣＰＵ
２０４…無線通信制御部
２０５…メモリ
２０６…無線通信プログラム格納部
２０７…アプリケーション実行環境プログラム格納部
２０８…赤外線機能プログラム格納部
２０９…Ｂｌｕｅｔｏｏｔｈプログラム格納部
２１０…アプリケーションプログラム格納部
２１０Ａ…ポイントカード用アプリケーションプログラム格納部
２１１…アプリケーションデータ格納部
２１１Ａ…ポイントカード用アプリケーションデータ格納部
２１３…Ｂｌｕｅｔｏｏｔｈモジュール通信部
２１４…Ｂｌｕｅｔｏｏｔｈモジュール制御部
２１５…Ｂｌｕｅｔｏｏｔｈ送受信部
２１６…赤外線モジュール通信部
２１７…赤外線モジュール制御部
２１８…赤外線送受信部
２１９…ＬＣＤ
２２０…表示制御部
２２１…キー制御部
２２２…キー押下部
２２３…ＲＴＣ
２５０…顧客用アプリケーション
２５１…小売店用アプリケーション
【図１】
2007140802.tif 000003
【図２】
2007140802.tif 000004
【図３】
2007140802.tif 000005
【図４】
2007140802.tif 000006
【図５】
2007140802.tif 000007
【図６】
2007140802.tif 000008
【図７】
2007140802.tif 000009
【図８】
2007140802.tif 000010
【図９】
2007140802.tif 000011
【図１０】
2007140802.tif 000012
【図１１】
2007140802.tif 000013
【図１２】
2007140802.tif 000014
【図１３】
2007140802.tif 000015